(57)【特許請求の範囲】
【請求項１】
表示パネルの１つの側面に沿って延び、前記側面の全長にわたって前記側面と対向する第１側壁部、
前記第１側壁部の長手方向の一端から前記表示パネルの位置する側に延びている第２側壁部、
前記第１側壁部の長手方向の他端から前記表示パネルの位置する側に延び、前記表示パネルを隔てて前記第２側壁部と対向している第３側壁部、
前記第１側壁部と前記第２側壁部との間の接続部の内面、及び、前記第１側壁部と前記第３側壁部との間の接続部の内面に形成された窪みであり、前記表示パネルの角の側面に対向する第１凹部、
前記第１側壁部、前記第２側壁部、及び前記第３側壁部の各内面から前記表示パネルに向かって突出し、前記表示パネルの下面を支持する支持部、並びに、
前記表示パネルの角の下面を支持する前記支持部の各領域に形成された窪みであり、前記角の下面と対向する第２凹部、
を有し、
前記第１側壁部、前記第２側壁部、及び前記第３側壁部の各長手方向では前記第２凹部は前記第１凹部より広い、収納部材。
【請求項２】
前記第１凹部は前記第２凹部に連結されている、請求項１に記載の収納部材。
【請求項３】
前記第１凹部及び前記第２凹部の各内面の全体が前記表示パネルの角の表面から離れている、請求項１に記載の収納部材。
【請求項４】
表示パネル、及び、前記表示パネルの１つの側面に沿って配置された収納部材を有する表示装置であり、
前記収納部材は、
前記表示パネルの側面に沿って延び、前記側面の全長にわたって前記側面と対向している第１側壁部、
前記第１側壁部の長手方向の一端から前記表示パネルの位置する側に延びている第２側壁部、
前記第１側壁部の長手方向の他端から前記表示パネルの位置する側に延び、前記表示パネルを隔てて前記第２側壁部と対向している第３側壁部、
前記第１側壁部と前記第２側壁部との間の接続部の内面、及び、前記第１側壁部と前記第３側壁部との間の接続部の内面に形成された窪みであり、前記表示パネルの角の側面に対向している第１凹部、
前記第１側壁部、前記第２側壁部、及び前記第３側壁部の各内面から前記表示パネルに向かって突出し、前記表示パネルの下面を支持する支持部、並びに、
前記表示パネルの角の下面を支持する前記支持部の各領域に形成された窪みであり、前記角の下面に対向している第２凹部、
を含み、
前記第１側壁部、前記第２側壁部、及び前記第３側壁部の各長手方向では前記第２凹部は前記第１凹部より広い、表示装置。
【請求項５】
前記表示パネルが、下部基板、及び、前記下部基板の上に配置された前記下部基板より狭い上部基板を含むとき、
前記第１側壁部は、前記上部基板から外側にはみ出している前記下部基板の部分の側面に対向する、
請求項４に記載の表示装置。
【請求項６】
前記第１凹部は前記第２凹部に連結されている、請求項４に記載の表示装置。
【請求項７】
前記第１凹部及び前記第２凹部の各内面の全体が前記表示パネルの角の表面から離れている、請求項４に記載の表示装置。
【請求項８】
前記表示パネルは、下部基板、及び、前記下部基板の上に配置された前記下部基板より狭い上部基板を含み、
前記第１側壁部は、前記上部基板から外側にはみ出している前記下部基板の部分の側面に対向している、
請求項４に記載の表示装置。
【請求項９】
前記表示パネルは、
前記上部基板から外側にはみ出している前記下部基板の部分に実装された駆動回路、及び、
前記上部基板から外側にはみ出している前記下部基板の部分に接続された印刷回路フィルム、
を更に含む、請求項８に記載の表示装置。
【請求項１０】
前記第１側壁部の上端は穴又は切り欠きを含み、
前記印刷回路フィルムは前記穴又は前記切り欠きを通して前記収納部材の外側に延びている、
請求項９に記載の表示装置。
【請求項１１】
前記表示パネルは、
前記表示パネルの駆動回路が実装された回路基板、及び、
前記上部基板から外側にはみ出している前記下部基板の部分と前記回路基板との間に接続されている印刷回路フィルム、
を更に含む、請求項８に記載の表示装置。
【請求項１２】
前記表示パネルは、下部基板、前記下部基板の上に配置された上部基板、及び前記下部基板と前記上部基板との間に挟まれた液晶層を含み、
前記表示装置は、前記下部基板の下面に対向している光源モジュールを更に有する、
請求項４に記載の表示装置。
【請求項１３】
前記光源モジュールは、
前記下部基板の下面に対向している上面と、前記第１側壁部に対向している側面とを含む導光板、及び、
前記導光板の側面と前記第１側壁部との間に設置されている光源、
を含む、請求項１２に記載の表示装置。
【請求項１４】
前記収納部材は、
前記第１側壁部、前記第２側壁部、及び前記第３側壁部の各内面から前記表示パネルに向かって突出し、前記表示パネルの下面を支持する支持部、
を更に含み、
前記支持部は穴又は切り欠きを含み、
前記光源は前記穴又は前記切り欠きに配置されている、
請求項１３に記載の表示装置。
【請求項１５】
前記光源モジュールは、
前記下部基板の下面に対向している上面と、前記第１側壁部に対向している第１側面とを含む導光板、
前記第１側面とは反対側に位置する前記導光板の第２側面に対向しているランプ、及び、
前記ランプの外側を囲んでいるランプカバー、
を含む、請求項１２に記載の表示装置。
【請求項１６】
前記導光板の下面を支持している底板と、前記底板から上方に延びて前記収納部材を支持している側壁とを含む収納容器、を更に有する、請求項１５に記載の表示装置。
【発明の詳細な説明】
【技術分野】
【０００１】
本発明は表示装置に関し、特に表示パネル用の収納部材に関する。
【背景技術】
【０００２】
一般に、液晶表示装置は表示パネルと、その背後にバックライトアセンブリとを含む。表示パネルには、液晶を含む複数の透明な画素がマトリクス状に配列されている。表示パネルの背面から入射する光は各画素を透過して表示パネルの前面から出射される。表示パネルは液晶の電気光学効果を利用して各画素の透過率を個別に調節できる。表示パネルはその背面に照射されるバックライトアセンブリからの光を画素ごとに、外部からの映像信号に応じた強度で透過させる。それにより、その映像信号の示す画像が表示パネルの前面に表示される。
【０００３】
表示パネルでは２枚の透明な基板、一般にはガラス基板が液晶層を間に挟んで貼り合わされている。２枚の基板の一方は他方より広い。広い基板は、狭い基板に重なっている表示領域と、狭い基板の外側にはみ出している周縁領域とに分かれている。表示領域には画素電極と薄膜トランジスタとの対がマトリクス状に配列され、それらの間をゲート線とデータ線とが縦横に延びている。各画素電極は透明であり、１つの画素のほぼ全体を覆っている。薄膜トランジスタはいずれかのゲート線から伝達されるゲート信号に応じてオンオフし、所定のタイミングでいずれかのデータ線から同じ画素の画素電極にデータ信号を伝達する。周縁領域ではゲート線とデータ線とが駆動回路に接続されている。駆動回路は外部からの映像信号に応じてゲート信号をゲート線に対して印加し、データ信号をデータ線に対して印加する。特にモバイル機器に搭載される液晶表示装置では駆動回路は周縁領域に直接実装されている。駆動回路はその他に、周縁領域に接着されたフレキシブル印刷回路基板（ＦＰＣ）の上に実装され、又はそのＦＰＣによって接続されている別の印刷回路基板の上に実装されている。狭い基板ではその表面の全体が一枚の共通電極で覆われている。共通電極は所定の電圧に維持されている。駆動回路はデータ信号によって画素電極と共通電極との間の電圧を画素ごとに調節する。液晶の電気光学効果により、各画素の透過率は画素電極と共通電極との間の電圧に応じて変化する。
【０００４】
バックライトアセンブリは一般にエッジライト型と直下型とに大別される。エッジライト型では表示パネルの背後に導光板が設置され、その導光板の側面に沿って光源が設置されている。光源の光は導光板を通じて表示パネルの背面全体に一様に照射される。直下型では表示パネルの背後に、拡散板、光源、及び反射板が順番に設置されている。光源の光は直接、又は反射板によって反射された後に拡散板によって前方に拡散され、表示パネルの背面全体に一様に照射される。エッジライト方式と直下方式とのいずれでも、バックライトアセンブリの光源としては一般に、ＣＣＦＬ等の線状ランプが利用されている。その他に、特に携帯電話及びＰＤＡ等のモバイル機器に搭載される中小型の液晶表示装置ではバックライトアセンブリの光源として、消費電力が更に低く、かつ小型／軽量化及び薄型化が更に容易である発光ダイオード（Light  Emitting  Diode；ＬＥＤ）が利用されている。
【発明の開示】
【発明が解決しようとする課題】
【０００５】
特に携帯電話などのモバイル機器で顕著であるように、液晶表示装置を搭載する電子機器全体の薄型化及び軽量化が急速に進んでいる。それに伴い、表示パネル及びバックライトアセンブリの薄型化及び軽量化も進んでいる。例えば表示パネルではガラス基板の厚さが0.5mmから0.4mm、更に0.3mmへと減少を続けている。
【０００６】
しかし、表示パネルのガラス基板を薄くすれば、外部からの衝撃に対する表示パネルの強度を高く維持することは困難である。特に、外部の駆動回路に接続され、又は駆動回路が直接実装されている表示パネルの部分には、２枚のガラス基板のうち、広い方の周縁領域しか含まれていないので、その強度を高く維持することは更に困難である。一方、従来の液晶表示装置では表示パネルの周縁部の全体が固定されている。従って、外部からの衝撃に伴う応力は表示パネルのガラス基板の周縁領域、特にその角に集中する。その結果、従来の液晶表示装置では、表示パネルを十分に薄くしたまま、外部からの衝撃による表示パネルのガラス基板の破損、特にその角の破損を確実に防ぐことは困難である。
【０００７】
本発明の目的は、外部からの衝撃による表示パネルの角の損傷を確実に防止しうる表示パネル用の収納部材を提供することにある。
【課題を解決するための手段】
【０００８】
本発明による収納部材は好ましくは、表示パネルを所定の筐体内に収納するのに用いられる。その収納部材は好ましくは、第１側壁部、第２側壁部、第３側壁部、第１凹部、支持部、及び第２凹部を含む。 第１側壁部は、表示パネルの１つの側面に沿って延び、その側面の全長にわたってその側面と対向する。第２側壁部は第１側壁部の長手方向の一端から表示パネルの位置する側に延びている。第３側壁部は第１側壁部の長手方向の他端から表示パネルの位置する側に延び、表示パネルを隔てて第２側壁部と対向している。第１凹部は、第１側壁部と第２側壁部との間の接続部の内面、及び、第１側壁部と第３側壁部との間の接続部の内面に形成された窪みである。第１凹部は、表示パネルの角の側面に対向する。支持部は、第１側壁部、第２側壁部、及び第３側壁部の各内面から表示パネルに向かって突出し、表示パネルの下面を支持する。第２凹部は、表示パネルの角の下面を支持する支持部の各領域に形成された窪みであり、各角の下面と対向する。
【０００９】
好ましくは、第１側壁部、第２側壁部、及び第３側壁部の各長手方向では第２凹部は第１凹部より広い。好ましくは、第１凹部及び第２凹部の各内面の全体が表示パネルの角の表面から離れている。ここで、表示パネルは好ましくは、下部基板、及びその下部基板の上に配置された下部基板より狭い上部基板を含む。そのとき、第１側壁部は好ましくは、その上部基板から外側にはみ出している下部基板の部分の側面に対向する。表示パネルは好ましくは、上部基板から外側にはみ出している下部基板の部分に、駆動回路又は印刷回路フィルムを更に含む。駆動回路は好ましくはチップに組み込まれ、下部基板の上に直接実装されている。印刷回路フィルムは好ましくは、下部基板とその外部の回路基板との間に接続されている。第１側壁部の上端には好ましくは穴又は切り欠きが形成されている。印刷回路フィルムはその穴又は切り欠きを通して収納部材の外側に延びている。
【００１０】
表示パネルは好ましくは、下部基板と上部基板との間に挟まれた液晶層を更に含む。その場合、表示パネルと収納部材とを含む表示装置は好ましくは、下部基板の下面に対向している光源モジュールを更に含む。光源モジュールは好ましくは導光板と光源とを含む。好ましくは、導光板の上面は下部基板の下面と対向し、側面は第１側壁部と対向している。光源は点光源であっても線状のランプであっても良い。光源は好ましくは、導光板の側面と第１側壁部との間に設置されている。その場合、好ましくは、支持部は穴又は切り欠きを含み、光源はその穴又は切り欠きに配置されている。
【発明の効果】
【００１１】
本発明による上記の収納部材では、表示パネルの角に面する部分に第１凹部と第２凹部とが形成されている。それにより、表示パネルの角の表面は収納部材の内面から分離されている。従って、外部からの衝撃に伴う応力が表示パネルの角に過度に集中することが防止される。その結果、表示パネルを十分に薄くしたまま、その角の破損を効果的に抑制できる。
【発明を実施するための最良の形態】
【００１２】
以下、添付された図面を参照しながら、本発明の好ましい実施例を詳細に説明する。
図３は本発明の実施例による表示装置の分解斜視図である。図４、図５、及び図６は図３に示されている表示装置の縦断面図であり、図７はその表示装置の角の拡大平面図である。この表示装置200は液晶表示装置であり、好ましくは携帯電話などのモバイル機器に搭載される。図３に示されているように、表示装置200は好ましくは、収納部材210、表示パネル230、及び光源モジュール250を含む。
【００１３】
収納部材210は好ましくは長方形状のフレームであり、内部に表示パネル230を収め、その下面の周縁部を支持している。収納部材210は好ましくはプラスチックから形成され、特に射出成形によってその全体が一体的に形成されている。収納部材210はその他に、各部分を別々に成形し、その後、それらを一体化させても良い。
【００１４】
表示パネル230は好ましくは、下部基板231、上部基板235、駆動回路チップ233、及び印刷回路フィルム237を含む。下部基板231と上部基板235とは好ましくはいずれもほぼ同じサイズの長方形状の基板であり、液晶層を間に挟んで貼り合わされている。好ましくは下部基板231が表示パネル230の背面側に配置されている。下部基板231は好ましくは上部基板235より少し広く、１つの短辺に沿った周縁領域232が上部基板235の短辺から外側にはみ出している。下部基板231と上部基板235とが重なっている部分が表示領域として利用される。駆動回路チップ233は好ましくは、上部基板235から外側にはみ出している下部基板231の周縁領域232に実装されている。印刷回路フィルム237はフレキシブル印刷回路基板（ＦＰＣ）であり、好ましくは下部基板231のその周縁領域232に接着され、駆動回路チップ233を外部の回路に接続している。
【００１５】
光源モジュール250は好ましくは収納部材210を隔てて表示パネル230の背後に配置され、収納部材210の開口部を通して表示パネル230の表示領域の背面に光を照射する。光源モジュール250は好ましくは導光板251と複数の点光源255とを含む。導光板251は好ましくは長方形状であり、表示パネル230の表示領域の背面を覆っている。各点光源255は好ましくは白色ＬＥＤである。複数（図３では３つ）の点光源255は導光板251の１つの短辺に沿って所定の間隔で配置され、導光板251のその短辺に沿った側面に光を照射する。各点光源255は更に好ましくは、駆動回路233の実装された表示パネル230の周縁領域232と同じ側に配置されている。各点光源255から導光板251の側面に入射した光は導光板251の内部で拡散され、導光板251の前面全体から表示パネル230の表示領域の背面に向けて出射される。
【００１６】
図１に、図３に示されている収納部材210の斜視図を示す。図２は、図１に示されている収納部材210の角の拡大図である。図１及び図２に示されているように、収納部材210は好ましくは、第１側壁部211、第２側壁部213、第３側壁部215、第４側壁部217、第１凹部221、支持部223、及び第２凹部225を含む。
【００１７】
第１側壁部211、第２側壁部213、第３側壁部215、及び第４側壁部217は好ましくは長方形のフレームを形成している。図３に示されているように、それら４つの側壁部で囲まれた空間が表示パネル230の収納空間として利用される。図３とは異なり、その収納空間には表示パネル230に加え、光源モジュールが収められても良い。
【００１８】
図３に示されているように、第１側壁部211は表示パネル230の１つの側面、特に、駆動回路チップ233が実装された周縁領域232の側面に沿って延び、その側面の全長にわたってその側面と対向する。図３に示されているように表示パネル230が収納部材210の内部に収められるとき、好ましくは図４及び図５に示されているように、下部基板231の周縁領域232の側面のほぼ全体が第１側壁部211の内面に接触する。図１及び図２に示されているように、第１側壁部211の上端には好ましくは切り欠き212が形成されている。図３〜５及び図７に示されているように、第１側壁部211の長手方向に沿った切り欠き212の幅は好ましくは印刷回路フィルム237の幅と等しい。印刷回路フィルム237はその切り欠き212を通して収納部材210の外側に延びている。ここで、第１側壁部211には切り欠き212に代えて穴が形成され、印刷回路フィルム237はその穴を通して収納部材210の外側に延びていても良い。
【００１９】
第２側壁部213は第１側壁部211の長手方向の一端から表示パネル230の位置する側に延びている。第３側壁部215は第１側壁部211の長手方向の他端から表示パネル230の位置する側に延び、表示パネル230を隔てて第２側壁部213と対向している。それにより、図３及び図５〜７に示されているように、第１側壁部211と第２側壁部213との間の接続部の内面、及び、第１側壁部211と第３側壁部215との間の接続部の内面はそれぞれ、表示パネル230の角の側面と対向する。図３に示されているように、第２側壁部213及び第３側壁部215は好ましくは表示パネル230の長辺の側面に沿って延び、その側面の全長にわたってその側面と対向する。表示パネル230が収納部材210の内部に収められるとき、好ましくは図６に示されているように、下部基板231の長辺に沿った側面のほぼ全体が第２側壁部213又は第３側壁部215の内面に接触する。第２側壁部213及び第３側壁部215はその他に、長手方向で複数に分離されていても良い。
【００２０】
第４側壁部217は、第１側壁部211とは反対側で第２側壁部213の端部と第３側壁部215の端部との間に連結され、表示パネル230を隔てて第１側壁部211と対向する。図３に示されているように、第４側壁部217は好ましくは表示パネル230の短辺の側面に沿って延び、その側面の全長にわたってその側面と対向する。表示パネル230が収納部材210の内部に収められるとき、好ましくは、下部基板231の短辺に沿った側面のほぼ全体が第４側壁部217の内面に接触する。
【００２１】
第１凹部221は好ましくは、図１及び図２に示されているように、第１側壁部211と第２側壁部213との間の接続部の内面、及び、第１側壁部211と第３側壁部215との間の接続部の内面に一つずつ形成された窪みである。第１凹部221は、第１側壁部211の長手方向には第１長さだけ延び、第２側壁部213の長手方向又は第３側壁部215の長手方向には第２長さだけ延びている。第２長さは好ましくは第１長さより大きい。その他に、第２長さが第１長さと同一であってもよい。図３及び図５〜７に示されているように、第１凹部221は表示パネル230の角の側面に対向する。第１凹部221の内面は第１側壁211、第２側壁213、及び第３側壁215の各内面から所定の深さまで窪んでいる。それにより、第１凹部221の内面全体が表示パネル230の角の表面から離れている。
【００２２】
支持部223は好ましくは、図１及び図２に示されているように、第１側壁部211、第２側壁部213、第３側壁部215、及び第４側壁部217の各内面から、それら４つの側壁部で囲まれた空間の中央に向かって所定の幅だけ突出している。すなわち、支持部223は長方形状のフレームである。図４〜６に示されているように、好ましくは、支持部223は各側壁部の内面に対して垂直に突出している。支持部23の高さは好ましくは、各側壁部211、213、215、217の内面の中央部から下端までである。支持部223は表示パネル230の下面の周縁部を支持する。それにより、支持部223で囲まれた開口部からは表示パネル230の表示領域の背面全体が露出する。このように、支持部223はミドルモールドフレームとして機能する。
【００２３】
図１及び図２に示されているように、第１側壁部211の内面から突出した支持部223の部分には好ましくは、複数の切り欠き227が第１側壁部211の長手方向に沿って所定の間隔で形成されている。図３及び図４に示されているように、各切り欠き227には光源モジュール250の点光源255が一つずつ配置される。好ましくは、第１側壁部211の長手方向に沿った各切り欠き227の幅は各点光源255の幅と等しく、切り欠き227の間隔は点光源255の間隔と等しい。ここで、支持部223には切り欠き227に代えて穴が形成され、各点光源255はその穴に配置されても良い。図１及び図３には切り欠き227が点光源255と同数、すなわち３つ示されている。しかし、その数は変更可能である。特に１つの切り欠きの中に点光源255が２つ以上配置されても良い。
【００２４】
第２凹部225は好ましくは、図１及び図２に示されているように、第１側壁部211の長手方向の両端部の近傍に位置する支持部223の各領域に一つずつ形成された窪みである。第２凹部225は好ましくは、第１側壁部211、第２側壁部213、及び第３側壁部215の各長手方向で第１凹部221より広い。第２凹部225は支持部223の前面（図では上面）から所定の深さまで窪んでいる。それにより、図３、図５、及び図６に示されているように、第２凹部225は表示パネル230の角の背面（図では下面）に所定の距離を隔てて対向する。
【００２５】
支持部223は更に、図１〜３に示されているように、各角の内縁部に、各側壁部211、213、215、217の長手方向から斜めに傾いた傾斜部を含んでいても良い。それにより、第２凹部225の形成に伴う支持部223の強度の低下が補われる。
【００２６】
好ましくは図２に示されているように、第１凹部221と第２凹部225との間は連結されている。それにより、第１側壁部211と第２側壁部213との間の接続部の内面、及び、第１側壁部211と第３側壁部215との間の接続部の内面には、第１凹部221及び第２凹部225の全体にわたって１つの空間が形成されている。従って、図３に示されているように表示パネル230を収納部材210の内部に収め、表示パネル230の周縁部の背面（図３では下面）を支持部223の上面に接触させたとき、図５、図６、及び図７に示されているように、下部基板231の周縁領域232の各角の表面は、所定の距離を隔てて第１凹部221及び第２凹部225の各内面に対向する。すなわち、下部基板231の周縁領域232では、各角の下面は第２凹部225の内面から離れ、各角の側面は第１凹部221の内面から離れている。それ故、下部基板231及び上部基板235の各側面は、第１凹部221に面した下部基板231の周縁領域232の角の側面を除き、第１側壁部211、第２側壁部213、第３側壁部215、及び第４側壁部217の各内面に接触して固定されている。一方、下部基板231の背面は、第２凹部225に面した周縁領域232の角の背面を除き、支持部223の上面に接触して支持される。
【００２７】
上記のように表示パネル230を支持している収納部材210に対して外部から任意の方向に衝撃が加えられると、収納部材210を通して下部基板231及び上部基板235に衝撃が伝わる。しかし、下部基板231の周縁領域232の各角は上記のとおり、上下左右のいずれの方向でも収納部材210には接触していないので、衝撃に伴う応力がそれらの角に過度に集中することはない。こうして、衝撃による周縁領域232の角の破損が防止される。
【００２８】
以下、図３〜７を参照しながら、表示パネル230及び光源モジュール250の各構成要素の詳細について説明する。
【００２９】
下部基板231は好ましくは、下部ベース、ゲート線、データ線、及び画素部を含む。下部ベースは好ましくは長方形状の透明な基板であり、更に好ましくはガラス基板である。ゲート線は好ましくは、下部ベースの上でその長辺に対して平行に延びている。ゲート線は更に、下部ベースの短辺方向ではほぼ等間隔に配置されている。ゲート線は駆動回路チップ233からのゲート信号を伝達する。データ線は好ましくは、下部ベースの上でその短辺に対して平行に延び、表示領域でゲート線と絶縁層を隔てて交差している。データ線は更に、下部ベースの短辺方向ではほぼ等間隔に配置されている。データ線は駆動回路チップ233からのデータ信号を伝達する。画素部は好ましくは、ゲート線及びデータ線によってマトリクス状に区切られた表示領域の各部分に一つずつ配置されている。画素部は好ましくは、スイッチング素子及び画素電極を含む。スイッチング素子は好ましくは下部ベース上に形成された薄膜トランジスタであり、いずれかのゲート線及びデータ線に接続されている。各画素電極は透明であり、１つの画素部のほぼ全体を覆っている。スイッチング素子はゲート信号に応じてオンオフし、所定のタイミングで同じ画素部の画素電極にデータ信号を伝達する。
【００３０】
上部基板235は好ましくは、上部ベース、カラーフィルタ部、及び共通電極を含む。上部ベースは好ましくは下部ベースと同じく、ガラス基板である。好ましくは、上部ベースの短辺は下部ベースの短辺とほぼ同じ長さである。一方、上部ベースの長辺は下部ベースの長辺より短い。それにより、図３に示されているように、下部ベースの一方の短辺に沿った端部が上部ベースの外側にはみ出し、周縁領域232を形成している。その他に、上部ベースの長辺は下部ベースの長辺とほぼ同じ長さであっても良い。その場合、図３とは異なり、周縁領域でも下部ベースと上部ベースとが重なっていてもよい。カラーフィルタ部は好ましくは、液晶層を隔てて各画素部に対向する上部ベースの背面（図３では下面）の領域ごとに形成されている。共通電極は好ましくは上部ベースの背面（図３では下面）全体に形成され、カラーフィルタ部を覆い、液晶層を隔てて各画素電極と対向している。
【００３１】
図３〜５及び図７に示されているように、駆動回路チップ233は好ましくは下部基板231の周縁領域232に実装され、同じ周縁領域232に接着された印刷回路フィルム237を通し、収納部材210の外部に設置された駆動部（いずれの図面にも示されていない）に接続されている。外部の駆動部は映像信号に応じてパネル駆動信号を生成する。駆動回路チップ233は印刷回路フィルム237を通してそのパネル駆動信号を受信し、それらに応じてデータ信号及びゲート信号をデータ線及びゲート線を通して各画素部のスイッチング素子に対して印加する。
【００３２】
光源モジュール250は好ましくは、導光板251と点光源255とに加え、電源印刷回路フィルム257、拡散シート252、及び集光シート253を含む。
【００３３】
電源印刷回路フィルム257は好ましくはＦＰＣであり、図３及び図４に示されているように、第１側壁部211に沿った支持部223の領域の背後（図面では下方）に配置されている。点光源255は好ましくは電源印刷回路フィルム257の上に実装されている。その他に、電源印刷回路フィルムは支持部223の前面（図面では上面）に配置されていても良い。電源印刷回路フィルム257は、収納部材210の外部に設置された電源供給部（図面には示されていない）に接続され、そこから各点光源255に対して駆動電力を伝達する。
【００３４】
導光板251は、好ましくは図４に示されているように、各側面が支持部223の各側面に対向するように配置されている。その他に、導光板は、その前面の周縁が支持部223の背面に対向するように配置されていても良い。その場合、点光源は支持部223の背面より後方で、導光板251の側面と第１側壁部211の内面との間に配置される。
【００３５】
図３及び図４に示されているように、拡散シート252及び集光シート253は好ましくはいずれも導光板251と同様な長方形状であり、拡散シート252及び集光シート253の順で導光板251の前面に積層されている。拡散シート252は、導光板251の前面から前方に出射された点光源255の光を拡散させ、その前面全体から出射される光の強度を均一化させる。集光シート253は好ましくは２層のプリズムシートを含む。各プリズムシートには好ましくは異なるプリズムパターンが配列され、拡散シート252から様々な方向に出射された光を表示パネル230の背面に向けて集めて出射する。それにより、光源モジュール250の正面輝度が向上する。
【００３６】
図４に示されているように、光源モジュール250は好ましくは反射シート279を更に含む。反射シート279は好ましくは導光板251と同様な長方形状であり、導光板251の背面全体及び電源印刷回路フィルム257の背面全体を覆っている。反射シート279は好ましくは反射率の高い物質で構成され、各点光源255及び導光板251の背面から後方（図４では下方）に漏れる光を導光板251の背面に向けて反射する。それにより、光源モジュール250の光損失が抑えられる。
【００３７】
図３〜６に示されているように、表示装置200は好ましくは収納容器270を更に含む。収納容器270は好ましくは直方体の箱であり、上面が開放されている。すなわち、収納容器270は底板272及び４つの側壁271、273、275、277を含む。底板272の上には反射シート279が敷かれ、その上に導光板251を始め、光源モジュール250の各構成要素が積層されている。その他に、反射シート279に代え、底板272の表面に光反射層が形成されていても良い。各側壁271、273、275、277は底板272の各辺から上方に延びている。収納部材210はそれら４つの側壁271、273、275、277で囲まれた空間に嵌め込まれる。そのとき、各側壁271、273、275、277は、第１側壁部211、第２側壁部213、第３側壁部215、及び第４側壁部217の各外面を覆って支持する。
【００３８】
図３には示されていないが、表示装置200は更にトップシャーシ（又はトップフレーム）を含んでいても良い。トップシャーシは好ましくは長方形状のフレームであり、表示パネル230の各辺を前（図３では上）から抑えた状態で収納容器270の各側壁に結合し、表示パネル230を収納部材210の内側に固定する。好ましくは、トップシャーシの内周面が収納容器270の側壁の外面に接触して固定される。トップシャーシの開口部からは表示パネル230の表示領域が露出する。
【００３９】
図８に、本発明の別の実施例による表示装置の分解斜視図を示す。図９は、図８に示されている表示装置の縦断面図である。図８及び図９に示されているように、この表示装置400は、収納部材410、表示パネル430、光源モジュール450、及び収納容器470を含む。表示装置400は液晶表示装置であり、好ましくはノート型コンピュータに搭載される。
【００４０】
表示パネル430は、下部基板431、上部基板435、駆動回路基板437、及び連結フィルム438を含む。下部基板431と上部基板435との構造は、以下に示す点を除き、図３に示されているもの231、235と実質的に同一である。まず、下部基板431の１つの長辺に沿った周縁領域432が上部基板435の長辺から外側にはみ出している。次に、駆動回路チップがテープキャリアパッケージ（ＴＣＰ）方式でその周縁領域432に実装されている。周縁領域432には複数の連結フィルム438の一端がほぼ等間隔で接着されている。連結フィルム438の他端は駆動回路基板437に接着されている。各連結フィルム438はＦＰＣである。各連結フィルム438の上には駆動回路チップ433が実装され、同じ連結フィルム438の上に形成された配線を通し、駆動回路基板437、及び表示パネル430のゲート線とデータ線に接続されている。駆動回路基板437は映像信号に応じてパネル駆動信号を生成する。駆動回路チップ433は連結フィルム438を通してそのパネル駆動信号を受信し、それらに応じてデータ信号及びゲート信号をデータ線及びゲート線を通して各画素部のスイッチング素子に対して印加する。表示パネル430が収納部材410の内部に収められるとき、好ましくは図９に示されているように、連結フィルム438は収納部材410の第１側壁411の外面に沿って折り曲げられ、駆動回路基板437は収納容器470の底板472の背面に配置される。
【００４１】
収納部材410は好ましくは図３に示されているもの210と同様に、第１側壁部411、第２側壁部413、第３側壁部415、第４側壁部417、第１凹部421、支持部423、及び第２凹部425を含む。収納部材410は好ましくはプラスチックから形成され、特に射出成形によってその全体が一体的に形成されている。収納部材410はその他に、各部分を別々に成形し、その後、それらを一体化させても良い。
【００４２】
第１側壁部411、第２側壁部413、第３側壁部415、及び第４側壁部417は好ましくは長方形のフレームを形成している。図８に示されているように、それら４つの側壁部で囲まれた空間が表示パネル430の収納空間として利用される。但し、上記のとおり、図８では図３とは異なり、表示パネル430の長辺側に周縁領域432が設けられている。従って、第１側壁部411は下部基板431の周縁領域432の位置する側の長辺に沿って延び、第４側壁部417は下部基板431の別の長辺に沿って延びている。第１側壁部411と第４側壁部417とはそれぞれ、下部基板431の各長辺に沿った側面の全長にわたってその側面と対向する。その他の構造については、４つの側壁部411、413、415、417は図３に示されている４つの側壁部211、213、215、217と実質的に同一である。従って、その実質的に同一な構造の詳細については上記の説明を援用する。
【００４３】
支持部423は図３に示されているもの223と同様に、第１側壁部411、第２側壁部413、第３側壁部415、及び第４側壁部417の各内面から、それら４つの側壁部で囲まれた空間の中央に向かって所定の幅だけ突出している。すなわち、支持部423は長方形状のフレームである。図９に示されているように、好ましくは、支持部423は各側壁部411、413、415、417の内面の上部から内面に対して垂直に突出している。支持部423の高さは図３に示されているもの223の高さとは異なり、各側壁部411、413、415、417の高さより十分に小さい。それにより、支持部423は、第１側壁部411、第２側壁部413、第３側壁部415、及び第４側壁部417で囲まれた空間を前後（図９では上下）に分割している。図９に示されているように、前方の空間には表示パネル430が収められ、後方の空間には光源モジュール450が収められる。支持部423は表示パネル430の背面の周縁部を支持する。それにより、支持部423で囲まれた開口部からは表示パネル430の表示領域の背面全体が露出する。このように、支持部423はミドルモールドフレームとして機能する。
【００４４】
第１凹部421は好ましくは、図８及び図９に示されているように、第１側壁部411と第２側壁部413との間の接続部の内面、及び、第１側壁部211と第３側壁部215との間の接続部の内面に一つずつ形成された窪みである。第１凹部421のサイズは好ましくは、図３に示されているもの421のサイズと同様な特徴を持つ。その同様な特徴については上記の説明を援用する。図３及び図５〜７に示されているように、第１凹部421は表示パネル430、特に下部基板431の周縁領域432の両端部の角の側面に対向する。第１凹部421の内面は第１側壁411、第２側壁413、及び第３側壁415の各内面から所定の深さまで窪んでいるので、第１凹部421の内面全体が下部基板431の角の表面から離れている。
【００４５】
第２凹部425は好ましくは、図８及び図９に示されているように、第１側壁部411の長手方向の両端部の近傍に位置する支持部423の各領域に一つずつ形成された窪みである。第２凹部425は好ましくは、第１側壁部411、第２側壁部413、及び第３側壁部415の各長手方向で第１凹部421より広い。第２凹部425は支持部423の前面から所定の深さまで窪んでいる。それにより、図９に示されているように、第２凹部425は下部基板431の角の背面（図では下面）に所定の距離を隔てて対向する。
【００４６】
図８及び図９に示されているように、第１凹部421と第２凹部425との間は連結され、１つの空間を形成している。従って、図８及び図９に示されているように表示パネル430を収納部材410の内部に収め、表示パネル430の周縁部の背面（図９では下面）を支持部423の上面に接触させたとき、下部基板431の周縁領域432では、各角の下面は第２凹部425の内面から離れ、各角の側面は第１凹部421の内面から離れている。それ故、下部基板431及び上部基板435の各側面は、第１凹部421に面した下部基板431の周縁領域432の角の側面を除き、第１側壁部411、第２側壁部413、第３側壁部415、及び第４側壁部417の各内面に接触して固定されている。一方、下部基板431の背面は、第２凹部425に面した周縁領域432の角の背面を除き、支持部423の上面に接触して支持される。
【００４７】
上記のように表示パネル430を支持している収納部材410に対して外部から任意の方向に衝撃が加えられると、収納部材410を通して下部基板431及び上部基板435に衝撃が伝わる。しかし、下部基板431の周縁領域432の各角は上記のとおり、上下左右のいずれの方向でも収納部材410には接触していないので、衝撃に伴う応力がそれらの角に過度に集中することはない。こうして、衝撃による周縁領域432の角の破損が防止される。
【００４８】
図８及び図９に示されているように、光源モジュール450は、導光板451、拡散シート452、集光シート453、ランプ455、ランプカバー457、及び反射シート479を含む。導光板451、拡散シート452、集光シート453、及び反射シート479は好ましくは、図３及び図４に示されているもの251、252、253、279と同様である。従って、それらの詳細については上記の説明を援用する。但し、導光板451は図３に示されているもの251とは異なり、その前面の周縁が支持部423の背面に対向し、各側面が収納部材410の各側壁部411、413、415、417の内面と対向する。
【００４９】
ランプ455は好ましくはＣＣＦＬ等の線光源であり、図８及び図９に示されているように、第４側壁部417の内面と導光板451の側面との間に導光板451のその側面に沿って配置される。それにより、ランプ455は導光板451のその側面全体に光を照射する。ランプカバー457は、導光板451の側面側を除いてランプ455の外周面を囲んでいる。ランプカバー457はランプ455を導光板451の側面に固定すると共に、ランプ455の光が導光板451の側面以外に漏れるのを防ぐ。
【００５０】
図８及び図９に示されているように、表示装置400は好ましくは収納容器470を更に含む。収納容器470は図３〜７に示されているもの270と同様、好ましくは直方体の箱であり、上面が開放されている。すなわち、収納容器470は底板472及び４つの側壁471、473、475、477を含む。底板472の上には、まずランプカバー457が設置され、次に反射シート479が敷かれ、その上に導光板451を始め、光源モジュール450の各構成要素が積層されている。その他に、反射シート479に代え、底板472の表面に光反射層が形成されていても良い。各側壁471、473、475、477は底板472の各辺から上方に延びている。収納容器470は図３〜７に示されているもの270とは異なり、図９に示されているように、収納部材410の４つの側壁411、413、415、417と支持部423とで囲まれた空間内に嵌め込まれる。そのとき、収納容器470の各側壁471、473、475、477は収納部材410の各側壁部411、413、415、417の内面に接触して固定される。そのとき、導光板451は図３に示されているもの251とは異なり、各側面が収納容器470の各側壁471、473、475、477の内面に対向するように配置される。
【００５１】
好ましくは、底板472には開口部474が形成されている。収納容器470の中に光源モジュール450を設置するとき、収納容器470と光源モジュール450の背面との間に閉じ込められた空気は底板472の開口部474を通して外部に逃げる。
【００５２】
好ましくは図８及び図９に示されているように、ランプ455の設置される側壁477以外の３つの側壁471、473、475の上端には段差部476が形成されている。拡散シート452及び集光シート453の３辺に沿った背面はそれらの段差部476によって支持される。一方、ランプ455の設置される側壁477の上端には張り出し部478が形成されている。張り出し部478は側壁477の上端から底板472の中央に向かって突出している。ランプカバー457は、張り出し部478の背面、側壁477の内面、及び底板472の前面に接触して固定され、更にランプカバー457の内側にランプ455が固定される。
【００５３】
図８には示されていないが、表示装置400は更にトップシャーシ（又はトップフレーム）を含んでいても良い。トップシャーシは好ましくは表示パネル430の各辺を前から抑えた状態で収納部材410の各側壁に結合し、表示パネル430を収納部材410の上部に固定する。トップシャーシの開口部からは表示パネル430の表示領域が露出する。
【００５４】
以上、本発明の好ましい実施例について詳細に説明した。しかし、本発明の実施例は上記のものには限定されない。当業者であれば本発明の思想と精神とから逸脱することなく、本発明の上記の実施例を修正し、又は変更できるであろう。例えば、図３に示されている構造と図８に示されている構造との間では同様な構成要素が自由に組み換え可能であろう。また、光源モジュールが図３又は図８に示されているエッジライト型に代え、直下型であっても良い。更に、上記の収納部材を液晶表示装置に代え、有機ＥＬ表示装置やプラズマ表示装置等、他の平板表示装置においてその表示パネルの支持部材として応用することも可能であろう。
【図面の簡単な説明】
【００５５】
【図１】本発明の実施例による収納部材の斜視図
【図２】図１に示されている収納部材の一角の部分拡大図
【図３】本発明の実施例による表示装置の分解斜視図
【図４】図３に示されている直線I−I’に沿った断面図
【図５】図３に示されている直線II−II’に沿った断面図
【図６】図３に示されている直線III−III’に沿った断面図
【図７】図３に示されている表示装置の一角の平面図
【図８】本発明の別の実施例による表示装置の分解斜視図
【図９】図８に示されている直線IV−IV’に沿った断面図
【符号の説明】
【００５６】
210    収納部材
211    第１側壁部
212    第１側壁部の切り欠き
213    第２側壁部
215    第３側壁部
217    第４側壁部
221    第１凹部
223    支持部
225    第２凹部
227    支持部の切り欠き
200    表示装置
230    表示パネル
231    下部基板
233    駆動回路チップ
235    上部基板
237    印刷回路フィルム
250    光源モジュール
251    導光板
255    点光源
257    電源印刷回路フィルム
270    収納容器
【図１】
0005620044.tif 000002
【図２】
0005620044.tif 000003
【図３】
0005620044.tif 000004
【図４】
0005620044.tif 000005
【図５】
0005620044.tif 000006
【図６】
0005620044.tif 000007
【図７】
0005620044.tif 000008
【図８】
0005620044.tif 000009
【図９】
0005620044.tif 000010